【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
装置本体と、
薬剤が個別に包装される複数のブリスター包装体を重ねた状態で収容し、前記ブリスター包装体の重なり方向が水平又は略水平方向となるように、前記装置本体に取り付けられる収容容器と、
前記装置本体に移動可能に設けられ、前記収容容器まで移動して、収容したブリスター包装体を払い出させる払出部材と、
前記払出部材によって払い出されたブリスター包装体を把持して搬送する把持部材と、
前記把持部材に把持されて搬送されてきたブリスター包装体から端数分を切断する切断部材と、を備え、
前記収容容器は、一端側底面に形成される、ブリスター包装体を取り出すための取出口と、収容したブリスター包装体を一端側に向かって付勢する付勢手段と、一端面に配置される開閉扉と、を備え、
前記開閉扉は、収容容器の取出口から排出されるブリスター包装体を保持する保持部を備え、払出部材によるブリスター包装体の払出動作を許容する開放位置に位置決め可能であり、
前記把持部材は、開放位置で開閉扉の保持部に保持されたブリスター包装体を把持して切断部材へと搬送可能であり、切断部材で端数分を切断された後のブリスター包装体の残余を搬送して開閉扉の保持部に保持させることを特徴とする薬剤払出装置。
【請求項２】
前記開閉扉は、払出部材によるブリスター包装体の払出動作を阻止する閉鎖位置に位置決め可能であることを特徴とする請求項１に記載の薬剤払出装置。
【請求項３】
前記開閉扉は、払出部材によるブリスター包装体の払出動作を許容して、払い出したブリスター包装体を保持部に保持可能とする他の開放位置に位置決め可能であることを特徴とする請求項１又は２に記載の薬剤払出装置。
【請求項４】
前記把持部材によって把持されたブリスター包装体と、前記切断部材との相対的な位置関係を調整して、ブリスター包装体の切断位置を変更する位置調整部材を備えたことを特徴とする請求項１から３のいずれか１項に記載の薬剤払出装置。
【請求項５】
前記払出部材は、収容容器の一端側に位置するブリスター包装体を押下する押下部を備え、
前記収容容器は、一端面に前記押下部の移動を許容する連通部を形成され、
前記開閉扉は、閉鎖位置で連通部での押下部の移動を阻止することを特徴とする請求項２に記載の薬剤払出装置。
【請求項６】
前記収容容器の取出口は、スプリングによって閉鎖位置に付勢した閉鎖片で少なくとも一部を覆ったことを特徴とする請求項２に記載の薬剤払出装置。
【請求項７】
前記収容容器の取出口は、収容容器に固定した閉鎖片で一部を閉鎖することにより、一端側に位置する１枚のブリスター包装体のみが通過可能な隙間を形成したことを特徴とする請求項１から６のいずれか１項に記載の薬剤払出装置。
【請求項８】
前記閉鎖片は、取出口に突出する先端部分に上方に向かって湾曲する湾曲部を備えたことを特徴とする請求項７に記載の薬剤払出装置。
【請求項９】
前記収容容器は、装置本体から引き出して薬品払出位置に位置決めすることにより、開閉扉を開放可能としたことを特徴とする請求項１から８のいずれか１項に記載の薬剤払出装置。
【請求項１０】
前記ブリスター包装体は、複数の薬剤が２列に収容されるものであり、
薬品払出命令に含まれる端数オーダに基づいて、前記切断部材により前記ブリスター包装体を切断させる際、一方の列を、切断後の残余数が１つとならない範囲で優先的に切断させた後、他方の列を切断させる制御手段を備えたことを特徴とする請求項１から９のいずれか１項に記載の薬剤払出装置。
【請求項１１】
前記制御手段は、一方の列の残余数が他方の列の残余数よりも少なく、かつ、他方の列の残余数が端数オーダ数以下である場合、他方の列を優先的に切断させることを特徴とする請求項１０に記載の薬剤払出装置。
【請求項１２】
前記制御手段は、前記端数オーダで指定された端数オーダ数がブリスター包装体の一方の列の残余数よりも大きい場合、前記端数オーダ数を分割し、得られた分割数で、一方の列を切断させた後、他方の列を切断させることを特徴とする請求項１０に記載の薬剤払出装置。
【請求項１３】
前記収容容器は、底面に、収容されたブリスター包装体の付勢方向に沿ってガイドプレートを配置され、
前記ガイドプレートは、取出口側に向かって徐々に上方側に高くなる第１ガイド面と、前記第１突出部に連続し、取出口側に向かって徐々に下方側に低くなる第２ガイド面と、を有することを特徴とする請求項１から５のいずれか１項に記載の薬剤払出装置。
【請求項１４】
前記収容容器は、取出口側の内端面から内側に突出し、ブリスター包装体のシート面に当接可能な平坦面と、湾曲したブリスター包装体の膨らみ部分の逃がしを形成する湾曲面と、を有する曲面受部を備えたことを特徴とする請求項１から６のいずれか１項に記載の薬剤払出装置。
【請求項１５】
前記押下部は、平坦なブリスター包装体のシート部の側縁部を押し下げ可能な第１受部と、湾曲したブリスター包装体のシート面に当接して押し下げ可能な第２受部と、を備えたことを特徴とする請求項１から７のいずれか１項に記載の薬剤払出装置。
【請求項１６】
薬品払出命令に含まれる端数オーダに基づいて、複数の薬剤が２列に収容されるブリスター包装体を切断することにより端数の薬品を払い出す薬剤払出方法であって、
一方の列を、切断後の残余数が１つとならない範囲で優先的に切断させる第１切断工程と、
他方の列を切断させる第２切断工程と、を実行することを特徴とする薬剤払出方法。
【請求項１７】
一方の列の残余数が他方の列の残余数よりも少なく、かつ、他方の列の残余数が端数オーダ数以下である場合、前記第１切断工程の前に他方の列を優先的に切断させる第３切断工程を実行することを特徴とする請求項１６に記載の薬剤払出方法。
【手続補正２】
【補正対象書類名】明細書
【補正対象項目名】０００８
【補正方法】変更
【補正の内容】
【０００８】
本発明は、前記課題を解決するための手段として、
薬剤払出装置を、
装置本体と、
薬剤が個別に包装される複数のブリスター包装体を重ねた状態で収容し、前記ブリスター包装体の重なり方向が水平又は略水平方向となるように、前記装置本体に取り付けられる収容容器と、
前記装置本体に移動可能に設けられ、前記収容容器まで移動して、収容したブリスター包装体を払い出させる払出部材と、
前記払出部材によって払い出されたブリスター包装体を把持して搬送する把持部材と、
前記把持部材に把持されて搬送されてきたブリスター包装体から端数分を切断する切断部材と、を備え、
前記収容容器は、一端側底面に形成される、ブリスター包装体を取り出すための取出口と、収容したブリスター包装体を一端側に向かって付勢する付勢手段と、一端面に配置される開閉扉と、を備えた構成とし、
前記開閉扉は、収容容器の取出口から排出されるブリスター包装体を保持する保持部を備え、払出部材によるブリスター包装体の払出動作を許容する開放位置に位置決め可能であり、
前記把持部材は、開放位置で開閉扉の保持部に保持されたブリスター包装体を把持して切断部材へと搬送可能であり、切断部材で端数分を切断された後のブリスター包装体の残余を搬送して開閉扉の保持部に保持させるようにしたものである。
前記開閉扉は、払出部材によるブリスター包装体の払出動作を阻止する閉鎖位置に位置決め可能であるのが好ましい。
前記開閉扉は、払出部材によるブリスター包装体の払出動作を許容して、払い出したブリスター包装体を保持部に保持可能とする他の開放位置に位置決め可能であるのが好ましい。